(57)【特許請求の範囲】
【請求項１】
第１のセルおよび第２のセルを含むワイヤレス通信システムにおいて干渉を減らすための方法であって、第１の基地局および第２の基地局はそれぞれ前記第１のセルおよび前記第２のセルに対応し、前記第１のセルおよび前記第２のセルのアップリンク／ダウンリンクのサブ・フレーム構成は非対称であり、前記第１のセルには第１のタイプのサブ・フレームを実装するが、前記第２のセルには前記第１のタイプのサブ・フレームとは異なる第２のタイプのサブ・フレームを実装する結果となり得、それによってセル間干渉が生じる可能性がある、方法において、
情報を伝送しないように、
前記第１のタイプのサブ・フレーム内にあり、前記第２のタイプのサブ・フレームのリソース要素に対応しており、参照信号に対してマッピングされたリソース要素、および
前記第２のタイプのサブ・フレーム内にあり、前記第１のタイプのサブ・フレームのリソース要素に対応しており、参照信号に対してマッピングされたリソース要素、
のうちの少なくとも１つを予約するために、前記第１の基地局および前記第２の基地局の少なくとも１つが、前記第１のタイプのサブ・フレームおよび前記第２のタイプのサブ・フレームの少なくとも１つのリソース・グリッドをマッピングするステップと、
前記第１の基地局が前記マッピング・ステップのマッピング結果を前記第２の基地局に伝送する、および／または前記第２の基地局が前記マッピング・ステップのマッピング結果を前記第１の基地局に伝送するステップと、
を含む、方法。
【請求項２】
前記第１のタイプのサブ・フレームは、ダウンリンク・サブ・フレームであり、前記第２のタイプのサブ・フレームは、アップリンク・サブ・フレームである、請求項１に記載の方法。
【請求項３】
前記第１のタイプのサブ・フレームは、ダウンリンク・サブ・フレームであり、前記第２のタイプのサブ・フレームは特別なサブ・フレームであり、情報を伝送しないように、前記第１のタイプのサブ・フレームのリソース・グリッドのみが、前記第１のタイプのサブ・フレーム内にあり前記第２のタイプのサブ・フレームのリソース要素に対応しており、参照信号および共通制御チャネルの少なくとも１つに対してマッピングされたリソース要素を予約するためにマッピングされる、請求項１に記載の方法。
【請求項４】
情報を伝送しないように、前記第１のタイプのサブ・フレーム内にあり前記第２のタイプのサブ・フレームのリソース要素に対応しており、参照信号に対してマッピングされたリソース要素を予約するために前記第１のタイプのサブ・フレームのリソース・グリッドをマッピングするステップは、情報を伝送しないように、前記第１のタイプのサブ・フレームの以下のリソース要素、すなわち、
前記第２のタイプのサブ・フレームのチャネル・サウンディング参照信号ＳＲＳに対してマッピングされたリソース要素に対応するリソース要素、および
前記第２のタイプのサブ・フレームのアップリンク復調参照信号ＵＬ  ＤＭＲＳに対してマッピングされたリソース要素に対応するリソース要素、
の少なくとも１つを予約するために前記第１のタイプのサブ・フレームのリソース・グリッドをマッピングするステップを含む、請求項２に記載の方法。
【請求項５】
情報を伝送しないように、前記第２のタイプのサブ・フレーム内にあり前記第１のタイプのサブ・フレームのリソース要素に対応しており、参照信号に対してマッピングされたリソース要素を予約するために前記第２のタイプのサブ・フレームのリソース・グリッドをマッピングするステップは、情報を伝送しないように、前記第２のタイプのサブ・フレームの以下のリソース要素、すなわち、
前記第１のタイプのサブ・フレームのチャネル状態情報参照信号ＣＳｌ−ＲＳに対してマッピングされたリソース要素に対応するリソース要素、
前記第１のタイプのサブ・フレームのセル固有参照信号ＣＲＳに対してマッピングされたリソース要素に対応するリソース要素、及び、
前記第１のタイプのサブ・フレームのダウンリンク復調参照信号ＤＬ  ＤＭＲＳに対してマッピングされたリソース要素に対応するリソース要素、
の少なくとも１つを予約するために前記第２のタイプのサブ・フレームのリソース・グリッドをマッピングするステップを含む、請求項２に記載の方法。
【請求項６】
第１のセルおよび第２のセルを含むワイヤレス通信システムにおいて干渉を減らすための装置であって、第１の基地局および第２の基地局はそれぞれ前記第１のセルおよび前記第２のセルに対応し、前記第１のセルおよび前記第２のセルのアップリンク／ダウンリンクのサブ・フレーム構成は非対称であり、前記第１のセルには第１のタイプのサブ・フレームを実装するが、前記第２のセルには前記第１のタイプのサブ・フレームとは異なる第２のタイプのサブ・フレームを実装する結果となり得、それによってセル間干渉が生じる可能性がある、装置において、
情報を伝送しないように、
前記第１のタイプのサブ・フレーム内にあり、前記第２のタイプのサブ・フレームのリソース要素に対応しており、参照信号に対してマッピングされたリソース要素、および
前記第２のタイプのサブ・フレーム内にあり、前記第１のタイプのサブ・フレームのリソース要素に対応しており、参照信号に対してマッピングされたリソース要素、
のうちの少なくとも１つを予約するために、前記第１のタイプのサブ・フレームおよび前記第２のタイプのサブ・フレームの少なくとも１つのリソース・グリッドをマッピングするように構成されたマッパーと、
前記マッパーのマッピング結果を前記第１の基地局および／または前記第２の基地局に伝送するように構成された送信機と、
を含む、装置。
【請求項７】
第１のセルおよび第２のセルを含むワイヤレス通信システムにおいて干渉を減らすための方法であって、第１の基地局および第２の基地局はそれぞれ前記第１のセルおよび前記第２のセルに対応し、前記第１のセルおよび前記第２のセルのアップリンク／ダウンリンクのサブ・フレーム構成は非対称であり、前記第１のセルには第１のタイプのサブ・フレームを実装するが、前記第２のセルには前記第１のタイプのサブ・フレームとは異なる第２のタイプのサブ・フレームを実装する結果となり得、それによってセル間干渉が生じる可能性がある、方法において、
前記第２の基地局が前記第１のタイプのサブ・フレームのリソース・グリッドのマッピングに関係する情報を前記第１の基地局から受信する、または前記第１の基地局が前記第２のタイプのサブ・フレームのリソース・グリッドのマッピングに関係する情報を前記第２の基地局から受信するステップであって、第１のタイプのサブ・フレームの前記リソース・グリッドは、情報を伝送しないように、第１のタイプのサブ・フレーム内にあり第２のタイプのサブ・フレームのリソース要素に対応しており、参照信号に対してマッピングされたリソース要素の予約としてマッピングされ、第２のタイプのサブ・フレームの前記リソース・グリッドは、情報を伝送しないように、第２のタイプのサブ・フレーム内にあり第１のタイプのサブ・フレームのリソース要素に対応しており、参照信号に対してマッピングされたリソース要素の予約としてマッピングされる、ステップを含む、方法。
【請求項８】
第１のセルおよび第２のセルを含むワイヤレス通信システムにおいて干渉を減らすための基地局であって、第１の基地局および第２の基地局はそれぞれ前記第１のセルおよび前記第２のセルに対応し、前記第１のセルおよび前記第２のセルのアップリンク／ダウンリンクのサブ・フレーム構成は非対称であり、前記第１のセルには第１のタイプのサブ・フレームを実装するが、前記第２のセルには第１のタイプのサブ・フレームとは異なる第２のタイプのサブ・フレームを実装する結果となり得、それによってセル間干渉が生じる可能性がある、基地局において、
前記第１のタイプのサブ・フレームのリソース・グリッドのマッピングに関係する情報を前記第１の基地局から受信する、または前記第２のタイプのサブ・フレームのリソース・グリッドのマッピングに関係する情報を前記第２の基地局から受信するように構成された受信機であって、前記第１のタイプのサブ・フレームの前記リソース・グリッドは、情報を伝送しないように、前記第１のタイプのサブ・フレーム内にあり前記第２のタイプのサブ・フレームのリソース要素に対応しており、参照信号に対してマッピングされたリソース要素の予約としてマッピングされ、前記第２のタイプのサブ・フレームの前記リソース・グリッドは、情報を伝送しないように、前記第２のタイプのサブ・フレーム内にあり前記第１のタイプのサブ・フレームのリソース要素に対応しており、参照信号に対してマッピングされたリソース要素の予約としてマッピングされる、受信機を含む、基地局。
【請求項９】
第１のセルおよび第２のセルを含むワイヤレス通信システムにおいて干渉を減らすための方法であって、第１の基地局および第２の基地局はそれぞれ前記第１のセルおよび前記第２のセルに対応し、前記第１のセルおよび前記第２のセルのアップリンク／ダウンリンクのサブ・フレーム構成は非対称であり、前記第１のセルには第１のタイプのサブ・フレームを実装するが、前記第２のセルには前記第１のタイプのサブ・フレームとは異なる第２のタイプのサブ・フレームを実装する結果となり得、それによってセル間干渉が生じる可能性がある、方法において、
前記第１の基地局が前記第２のタイプのサブ・フレームのリソース・グリッドのマッピングに関係する情報を前記第２の基地局から受信するステップと、
情報を伝送しないように、前記第１のタイプのサブ・フレーム内にあり前記第２のタイプのサブ・フレームのリソース要素に対応しており、参照信号に対してマッピングされたリソース要素を予約するために前記第１の基地局が前記第１のタイプのサブ・フレームのリソース・グリッドをマッピングするステップと、
を含む、方法。
【請求項１０】
前記第１のタイプのサブ・フレームは、ダウンリンク・サブ・フレームであり、前記第２のタイプのサブ・フレームはアップリンク・サブ・フレームであり、情報を伝送しないように、前記第１のタイプのサブ・フレーム内にあり前記第２のタイプのサブ・フレームのリソース要素に対応しており、参照信号に対してマッピングされたリソース要素を予約するために前記第１のタイプのサブ・フレームの前記リソース・グリッドをマッピングするステップは、情報を伝送しないように、前記第１のタイプのサブ・フレームの以下のリソース要素、すなわち、
前記第２のタイプのサブ・フレームのチャネル・サウンディング参照信号ＳＲＳに対してマッピングされたリソース要素に対応するリソース要素、および
前記第２のタイプのサブ・フレームのアップリンク復調参照信号ＵＬ  ＤＭＲＳに対してマッピングされたリソース要素に対応するリソース要素、
の少なくとも１つを予約するために前記第１のタイプのサブ・フレームの前記リソース・グリッドをマッピングするステップを含む、請求項９に記載の方法。
【請求項１１】
前記第１のタイプのサブ・フレームは、アップリンク・サブ・フレームであり、前記第２のタイプのサブ・フレームはダウンリンク・サブ・フレームであり、情報を伝送しないように、前記第１のタイプのサブ・フレーム内にあり前記第２のタイプのサブ・フレームのリソース要素に対応しており、参照信号に対してマッピングされたリソース要素を予約するために前記第１のタイプのサブ・フレームの前記リソース・グリッドをマッピングするステップは、情報を伝送しないように、前記第１のタイプのサブ・フレームの以下のリソース要素、すなわち、
前記第２のタイプのサブ・フレームのチャネル状態情報参照信号ＣＳＩ−ＲＳに対してマッピングされたリソース要素に対応するリソース要素、
前記第２のタイプのサブ・フレームのセル固有の参照信号ＣＲＳに対してマッピングされたリソース要素に対応するリソース要素、及び
前記第２のタイプのサブ・フレームのダウンリンク復調参照信号ＤＬ  ＤＭＲＳに対してマッピングされたリソース要素に対応するリソース要素、
の少なくとも１つを予約するために前記第１のタイプのサブ・フレームの前記リソース・グリッドをマッピングするステップを含む、請求項９に記載の方法。
【請求項１２】
前記第１の基地局が前記第１のタイプのサブ・フレームの前記リソース・グリッドのマッピングに関係する情報を前記第２の基地局に伝送するステップ、
をさらに含む、請求項９に記載の方法。
【請求項１３】
第１のセルおよび第２のセルを含むワイヤレス通信システムにおいて干渉を減らすための基地局であって、第１の基地局および第２の基地局はそれぞれ前記第１のセルおよび前記第２のセルに対応し、前記第１のセルおよび前記第２のセルのアップリンク／ダウンリンクのサブ・フレーム構成は非対称であり、前記第１のセルには第１のタイプのサブ・フレームを実装するが、前記第２のセルには前記第１のタイプのサブ・フレームとは異なる第２のタイプのサブ・フレームを実装する結果となり得、それによってセル間干渉が生じる可能性がある、基地局において、
前記第２のタイプのサブ・フレームのリソース・グリッドのマッピングに関係する情報を前記第２の基地局から受信するように構成された受信機と、
情報を伝送しないように、前記第１のタイプのサブ・フレーム内にあり前記第２のタイプのサブ・フレームのリソース要素に対応しており、参照信号に対してマッピングされたリソース要素を予約するために前記第１のタイプのサブ・フレームのリソース・グリッドをマッピングするように構成されたマッパーと、
を含む、基地局。
【請求項１４】
前記第１のタイプのサブ・フレームのリソース・グリッドのマッピングに関係する情報を前記第２の基地局に伝送するように構成された送信機、
をさらに含む、請求項１３に記載の基地局。
【請求項１５】
第１のセルおよび第２のセルを含むワイヤレス通信システムにおいて干渉を減らすためのユーザー機器であって、第１の基地局および第２の基地局はそれぞれ前記第１のセルおよび前記第２のセルに対応し、前記第１のセルおよび前記第２のセルのアップリンク／ダウンリンクのサブ・フレーム構成は非対称であり、前記第１のセルには第１のタイプのサブ・フレームを実装するが、前記第２のセルには前記第１のタイプのサブ・フレームとは異なる第２のタイプのサブ・フレームを実装する結果となり得、それによってセル間干渉が生じる可能性がある、ユーザー機器において、
前記第１のタイプのサブ・フレームのリソース・グリッドのマッピングに関係する情報を前記第１の基地局から受信する、または前記第２のタイプのサブ・フレームのリソース・グリッドのマッピングに関係する情報を前記第２の基地局から受信するように構成された受信機であって、第１のタイプのサブ・フレームの前記リソース・グリッドは、情報を伝送しないように、前記第１のタイプのサブ・フレーム内にあり前記第２のタイプのサブ・フレームのリソース要素に対応しており、参照信号に対してマッピングされたリソース要素の予約としてマッピングされ、前記第２のタイプのサブ・フレームの前記リソース・グリッドは、情報を伝送しないように、前記第２のタイプのサブ・フレーム内にあり前記第１のタイプのサブ・フレームのリソース要素に対応しており、参照信号に対してマッピングされたリソース要素の予約としてマッピングされる、受信機を含む、ユーザー機器。
【発明の詳細な説明】
【技術分野】
【０００１】
本発明は通信分野に関し、より詳細には、ワイヤレス通信システムにおいて干渉を減らすための方法、装置、基地局およびユーザー機器に関する。
【背景技術】
【０００２】
理論的に言うと、Ｌｏｎｇ  Ｔｅｒｍ  Ｅｖｏｌｕｔｉｏｎ時分割二重通信（ＬＴＥ  ＴＤＤ）システムは、隣接セルに対して異なるアップリンク／ダウンリンクのサブ・フレーム構成を展開させることができ、これは、重要な利点の１つとして主張されている。しかし、隣接セルに対して異なるアップリンク／ダウンリンクのサブ・フレーム構成を展開させることは、第１のセルでアップリンク・サブ・フレームを実装しながら、第２のセルでダウンリンク・サブ・フレームを実装することになるため、そのためにセル間干渉を引き起こすことになる。生じたセル間干渉は、システムに対して大きな障害となる可能性がある。このように生じたセル間干渉は、ダウンリンクＵＥに対するアップリンク・ユーザー機器（ＵＥ）の干渉、およびアップリンクｅＮＢに対するダウンリンク基地局、たとえば発展型ノードＢ（ｅＮＢ）の干渉に類別することができる。セル間干渉を減らす方法は、多くの文書で扱われてきた。
【発明の概要】
【発明が解決しようとする課題】
【０００３】
本発明の目的は、隣接セルに対して異なるアップリンク／ダウンリンクのサブ・フレーム構成を展開させた結果として生じるセル間干渉を減らす、さらにはなくすための新しい方式を提供することである。
【課題を解決するための手段】
【０００４】
本発明の第１の態様によると、第１のセルおよび第２のセルを含むワイヤレス通信システムにおいて干渉を減らすための方法が提供され、第１のセルおよび第２のセルのアップリンク／ダウンリンクのサブ・フレーム構成は非対称であり、第１のセルには第１のタイプのサブ・フレームを実装するが、第２のセルには第１のタイプのサブ・フレームとは異なる第２のタイプのサブ・フレームを実装する結果となり得、それによってセル間干渉が生じる可能性がある、方法において、
第１のタイプのサブ・フレームおよび第２のタイプのサブ・フレームの少なくとも１つのリソース・グリッドをマッピングするステップであって、
第１のタイプのサブ・フレーム内にあり、第２のタイプのサブ・フレームのリソース要素に対応しており、参照信号および共通制御チャネルの少なくとも１つに対してマッピングされたリソース要素、および
第２のタイプのサブ・フレーム内にあり、第１のタイプのサブ・フレームのリソース要素に対応しており、参照信号および共通制御チャネルの少なくとも１つに対してマッピングされたリソース要素、のうちの少なくとも１つを予約するためのステップであり、
それは情報を伝送しないためである、マッピングするステップと、
マッピング・ステップのマッピング結果を伝送するステップとを含む。
【０００５】
本発明の第２の態様によると、第１のセルおよび第２のセルを含むワイヤレス通信システムにおいて干渉を減らすための装置が提供され、第１のセルおよび第２のセルのアップリンク／ダウンリンクのサブ・フレーム構成は非対称であり、第１のセルには第１のタイプのサブ・フレームを実装するが、第２のセルには第１のタイプのサブ・フレームとは異なる第２のタイプのサブ・フレームを実装する結果となり得、それによってセル間干渉が生じる可能性があり、この装置は、
第１のタイプのサブ・フレームおよび第２のタイプのサブ・フレームの少なくとも１つのリソース・グリッドをマッピングするように構成されたマッパーであって、
第１のタイプのサブ・フレーム内にあり、第２のタイプのサブ・フレームのリソース要素に対応しており、参照信号および共通制御チャネルの少なくとも１つに対してマッピングされたリソース要素、および
第２のタイプのサブ・フレーム内にあり、第１のタイプのサブ・フレームのリソース要素に対応しており、参照信号および共通制御チャネルの少なくとも１つに対してマッピングされたリソース要素、のうちの少なくとも１つを予約するためのものであり、
それは情報を伝送しないようにするためである、マッパーと、
マッパーのマッピング結果を伝送するように構成された送信機とを含む。
【０００６】
本発明の第３の態様によると、第１のセルおよび第２のセルを含むワイヤレス通信システムにおいて干渉を減らすための方法が提供され、第１のセルおよび第２のセルのアップリンク／ダウンリンクのサブ・フレーム構成は非対称であり、第１のセルには第１のタイプのサブ・フレームを実装するが、第２のセルには第１のタイプのサブ・フレームとは異なる第２のタイプのサブ・フレームを実装する結果となり得、それによってセル間干渉が生じる可能性があり、この方法は、
第１のタイプのサブ・フレームのリソース・グリッドのマッピングに関係する情報または第２のタイプのサブ・フレームのリソース・グリッドのマッピングに関係する情報を受信するステップを含み、第１のタイプのサブ・フレームのリソース・グリッドは、情報を伝送しないように、第１のタイプのサブ・フレーム内にあり第２のタイプのサブ・フレームのリソース要素に対応しており、参照信号および共通制御チャネルの少なくとも１つに対してマッピングされたリソース要素の予約としてマッピングされ、第２のタイプのサブ・フレームのリソース・グリッドは、情報を伝送しないように、第２のタイプのサブ・フレーム内にあり第１のタイプのサブ・フレームのリソース要素に対応しており、参照信号および共通制御チャネルの少なくとも１つに対してマッピングされたリソース要素の予約としてマッピングされる。
【０００７】
本発明の第４の態様によると、第１のセルおよび第２のセルを含むワイヤレス通信システムにおいて干渉を減らすための基地局が提供され、第１のセルおよび第２のセルのアップリンク／ダウンリンクのサブ・フレーム構成は非対称であり、第１のセルには第１のタイプのサブ・フレームを実装するが、第２のセルには第１のタイプのサブ・フレームとは異なる第２のタイプのサブ・フレームを実装する結果となり得、それによってセル間干渉が生じる可能性があり、この基地局は、
第１のタイプのサブ・フレームのリソース・グリッドのマッピングに関係する情報または第２のタイプのサブ・フレームのリソース・グリッドのマッピングに関係する情報を受信するように構成された受信機を含み、第１のタイプのサブ・フレームのリソース・グリッドは、情報を伝送しないように、第１のタイプのサブ・フレーム内にあり第２のタイプのサブ・フレームのリソース要素に対応しており、参照信号および共通制御チャネルの少なくとも１つに対してマッピングされたリソース要素の予約としてマッピングされ、第２のタイプのサブ・フレームのリソース・グリッドは、情報を伝送しないように、第２のタイプのサブ・フレーム内にあり第１のタイプのサブ・フレームのリソース要素に対応しており、参照信号および共通制御チャネルの少なくとも１つに対してマッピングされたリソース要素の予約としてマッピングされる。
【０００８】
本発明の第５の態様によると、第１のセルおよび第２のセルを含むワイヤレス通信システムにおいて干渉を減らすための方法が提供され、第１のセルおよび第２のセルのアップリンク／ダウンリンクのサブ・フレーム構成は非対称であり、第１のセルには第１のタイプのサブ・フレームを実装するが、第２のセルには第１のタイプのサブ・フレームとは異なる第２のタイプのサブ・フレームを実装する結果となり得、それによってセル間干渉が生じる可能性があり、この方法は、
第２のタイプのサブ・フレームのリソース・グリッドのマッピングに関係する情報を受信するステップと、
情報を伝送しないように、第１のタイプのサブ・フレーム内にあり第２のタイプのサブ・フレームのリソース要素に対応しており、参照信号および共通制御チャネルの少なくとも１つに対してマッピングされたリソース要素を予約するために第１のタイプのサブ・フレームのリソース・グリッドをマッピングするステップとを含む。
【０００９】
本発明の第６の態様によると、第１のセルおよび第２のセルを含むワイヤレス通信システムにおいて干渉を減らすための基地局が提供され、第１のセルおよび第２のセルのアップリンク／ダウンリンクのサブ・フレーム構成は非対称であり、第１のセルには第１のタイプのサブ・フレームを実装するが、第２のセルには第１のタイプのサブ・フレームとは異なる第２のタイプのサブ・フレームを実装する結果となり得、それによってセル間干渉が生じる可能性があり、この基地局は、
第２のタイプのサブ・フレームのリソース・グリッドのマッピングに関係する情報を受信するように構成された受信機と、
情報を伝送しないように、第１のタイプのサブ・フレーム内にあり第２のタイプのサブ・フレームのリソース要素に対応しており、参照信号および共通制御チャネルの少なくとも１つに対してマッピングされたリソース要素を予約するために第１のタイプのサブ・フレームのリソース・グリッドをマッピングするように構成されたマッパーとを含む。
【００１０】
本発明の第７の態様によると、第１のセルおよび第２のセルを含むワイヤレス通信システムにおいて干渉を減らすためのユーザー機器が提供され、第１のセルおよび第２のセルのアップリンク／ダウンリンクのサブ・フレーム構成は非対称であり、第１のセルには第１のタイプのサブ・フレームを実装するが、第２のセルには第１のタイプのサブ・フレームとは異なる第２のタイプのサブ・フレームを実装する結果となり得、それによってセル間干渉が生じる可能性があり、このユーザー機器は、
第１のタイプのサブ・フレームのリソース・グリッドのマッピングに関係する情報または第２のタイプのサブ・フレームのリソース・グリッドのマッピングに関係する情報を受信するように構成された受信機を含み、第１のタイプのサブ・フレームのリソース・グリッドは、情報を伝送しないように、第１のタイプのサブ・フレーム内にあり第２のタイプのサブ・フレームのリソース要素に対応しており、参照信号および共通制御チャネルの少なくとも１つに対してマッピングされたリソース要素の予約としてマッピングされ、第２のタイプのサブ・フレームのリソース・グリッドは、情報を伝送しないように、第２のタイプのサブ・フレーム内にあり第１のタイプのサブ・フレームのリソース要素に対応しており、参照信号および共通制御チャネルの少なくとも１つに対してマッピングされたリソース要素の予約としてマッピングされる。
【００１１】
本発明によると、
第１のタイプのサブ・フレーム内にあり、第２のタイプのサブ・フレームのリソース要素に対応しており、参照信号および共通制御チャネルの少なくとも１つに対してマッピングされたリソース要素、および
第２のタイプのサブ・フレーム内にあり、第１のタイプのサブ・フレームのリソース要素に対応しており、参照信号および共通制御チャネルの少なくとも１つに対してマッピングされたリソース要素の少なくとも１つを予約し、
それは情報を伝送しないようにするためであることから、
参照信号および共通制御チャネルの少なくとも１つのセル間干渉を減らすことができ、それによって、システムのパフォーマンスを著しく改善することができる。
【００１２】
本発明の他の目的および効果は、本発明についてのより包括的な理解とともに、添付の図面に関連して以下の記述を参照することによって、より明確かつ簡単に理解することができよう。
【図面の簡単な説明】
【００１３】
【図１】本発明を実行できるワイヤレス通信システムを示す図である。
【図２Ａ】従来技術によるＬＴＥ  ＴＤＤフレーム構造を示す図である。
【図２Ｂ】従来技術によるＬＴＥ  ＴＤＤフレーム構造を示す図である。
【図３】従来技術によるＬＴＥ  ＴＤＤリソース・グリッド構造を示す図である。
【図４】本発明の一実施形態により、ワイヤレス通信システムにおいて、第１のセルで第１のタイプのサブ・フレームを実装し、第２のセルで第１のタイプのサブ・フレームとは異なる第２のタイプのサブ・フレームを実装する結果生じる干渉を減らすための方法を示す流れ図である。
【図５】本発明の一実施形態による、図４に示した方法のステップを実装するための装置を示すブロック図である。
【図６】本発明の一実施形態により、ワイヤレス通信システムにおいて、第１のセルで第１のタイプのサブ・フレームを実装し、第２のセルで第１のタイプのサブ・フレームとは異なる第２のタイプのサブ・フレームを実装する結果生じる干渉を減らすための方法を示す流れ図である。
【図７】本発明の一実施形態による、図６に示した方法のステップを実装するための基地局を示すブロック図である。
【図８Ａ】本発明の一実施形態による、ダウンリンク・サブ・フレームおよびアップリンク・サブ・フレームのリソース・グリッドのマッピングを示す図である。
【図８Ｂ】本発明の一実施形態による、ダウンリンク・サブ・フレームおよびアップリンク・サブ・フレームのリソース・グリッドのマッピングを示す図である。
【００１４】
添付の図面のすべてにおいて、同じ引用符号は、同一、類似、または対応する特徴または機能を表している。
【発明を実施するための形態】
【００１５】
本発明の実施形態を、添付の図面を参照して、より詳細に以下に記述する。
【００１６】
図１は、本発明を実行できるワイヤレス通信システムを示す図である。
【００１７】
図１に示すように、ワイヤレス通信システム１００は、第１のセルに対応する第１の基地局１１０、第２のセルに対応する第２の基地局１２０、ユーザー機器１３０および１４０を含む。
【００１８】
第１の基地局１１０は第１の有効範囲１１０−ａを提供し、第２の基地局１２０は第２の有効範囲１２０−ａを提供する。
【００１９】
ここで、ユーザー機器１３０は、第１の有効範囲１１０−ａ内にあると想定される。したがって、ユーザー機器１３０は、ワイヤレス・リンク１５０を介して第１の基地局１１０と通信する。ユーザー機器１４０は、第２の有効範囲１２０−ａ内にあると想定される。したがって、ユーザー機器１４０は、ワイヤレス・リンク１６０を介して第２の基地局１２０と通信する。さらに、第１の基地局１１０は、バックホール・リンク１７０を介して第２の基地局１２０と通信する。バックホール・リンク１７０は、有線でも無線でもよい。
【００２０】
ここで、第１の基地局１１０および第２の基地局１２０は、ＬＴＥ  ＴＤＤシステムのｅＮＢであることが想定され、また、第１の基地局１１０および第２の基地局１２０は、隣接セルの基地局であることが想定される。
【００２１】
図２Ａおよび図２Ｂは、従来技術によるＬＴＥ  ＴＤＤフレーム構造を示す図である。図２Ａおよび図２Ｂに示したフレーム構造は、サブ・フレーム０、サブ・フレーム１、サブ・フレーム２、サブ・フレーム３、サブ・フレーム４、サブ・フレーム５、サブ・フレーム６、サブ・フレーム７、サブ・フレーム８、およびサブ・フレーム９を含む１０個のサブ・フレームを含む。違いは、図２Ａに示したフレーム構造は、２つの特別なサブ・フレーム、つまりサブ・フレーム１およびサブ・フレーム６を含む一方、図２Ｂに示したフレーム構造は、１つの特別なサブ・フレームのみ、つまりサブ・フレーム１を含むことである。特別なサブ・フレームには、３つの特別なタイム・スロットがある：ダウンリンク・パイロット・タイムスロット（ＤｗＰＴＳ）、ギャップ保護（ＧＰ）、およびアップリンク・パイロット・タイムスロット（ＵｐＰＴＳ）である。
【００２２】
１０個のサブ・フレームは、（最小送信時間間隔ＴＴＩに対応する）１ミリ秒の統合されたサブ・フレーム長さを用いる。従来のサブ・フレームは、２つの０．５ミリ秒のタイム・スロットを含む。
【００２３】
特別なサブ・フレームの出現頻度により、ＬＴＥ  ＴＤＤフレーム構造は、２つのタイプ（つまり５ミリ秒期間のフレーム構造および１０ミリ秒期間のフレーム構造）に分類することができる。したがって、図２Ａに図示しているのは、５ミリ秒期間のフレーム構造であり、図２Ｂに図示しているのは、１０ミリ秒期間のフレーム構造である。
【００２４】
５ミリ秒期間のフレーム構造は、１０ミリ秒の無線フレームを２つの５ミリ秒の「セミフレーム」に分割したものであり、これらは完全に同一の構造および同じアップリンク／ダウンリンク・サブ・フレーム比率を有する。
【００２５】
例として従来のサイクリック・ポストフィクス（ＣＰ：Ｃｙｃｌｉｃ  Ｐｏｓｔｆｉｘ）を挙げると、特別なサブ・フレームは、従来のサブ・フレームと同様に、１４個の直交周波数分割多重（ＯＦＤＭ）シンボルを含む。
【００２６】
５ミリ秒期間のフレーム構造の１つのセミフレームに含まれる５つのサブ・フレームにおいて、１つのダウンリンクＤｗＰＴＳと１つのアップリンクＵｐＰＴＳと１つのＧＰとを常に含む、１つの特別なサブ・フレームを除いて、残り４つの従来のサブ・フレームにおけるダウンリンク・サブ・フレームとアップリンク・サブ・フレームとの間の比率は、３：１、２：２、または１：３でもよい。
【００２７】
１０ミリ秒期間のフレーム構造の１つの無線フレームに含まれる１０個のサブ・フレームにおいて、１つの特別なサブ・フレームを除き、残り９つの従来のサブ・フレームにおけるダウンリンク・サブ・フレームとアップリンク・サブ・フレームとの間の比率は、８：１、７：２、６：３、または３：５でもよく、３：５の場合には、１つの１０ミリ秒の無線フレームは、２つの特別なサブ・フレームを含む。最後の構成では、２つのセミフレームに分割されるが、２つのセミフレームは、異なるアップリンク／ダウンリンク比率を持つため、期間はまだ１０ミリ秒である。
【００２８】
表１は、フレーム構造におけるアップリンク／ダウンリンクのサブ・フレーム構成を纏めたものである。
【表１】
0005864718.tif 000002
【００２９】
ここで、Ｄはダウンリンク・サブ・フレームを表し、Ｕはアップリンク・サブ・フレームを表し、Ｓは特別なサブ・フレームを表す。
【００３０】
ＬＴＥ  ＴＤＤシステムは、２０ＭＨｚの最大帯域幅を持ち、２０Ｍ、１５Ｍ、１０Ｍ、５Ｍ、３Ｍ、または１．４Ｍの帯域幅を持つように構成することができる。
【００３１】
ＬＴＥ  ＴＤＤシステムは、リソース・ブロック（ＲＢ）を割り当てることによってリソースを割り当てる。異なる帯域幅は、割り当てられたＲＢの異なる数に対応する。以下の等式によって：
ＲＢ数＊１２＊サブキャリア・ギャップ＝帯域幅
他のパラメータ値が知られている場合に、ＲＢの数を導き出すことができる。
【００３２】
図３は、従来技術によるＬＴＥ  ＴＤＤリソース・グリッド構造を示す図である。
【００３３】
図３は、サブ・フレーム０の第１のタイム・スロットのリソース・グリッド構造を示している。各ＲＢ３０５はリソースのブロックであり、時間に関しては、１つのサブ・フレーム（つまり７つのＯＦＤＭシンボル）に１つのタイム・スロットによって占められた時間領域リソースを含み、周波数に関しては、１２の副搬送波によって占められた周波数領域リソースを含む。３１０で表すように、１つのＯＦＤＭシンボル上の１つの副搬送波によって占められたリソースは、リソース要素（ＲＥ）と呼ばれる。したがって、通常のサイクリック・ポストフィクス（ＣＰ）モードでは、１ＲＢ＝１２＊７ＲＥである。
【００３４】
当業者は、サブ・フレーム０の第２のタイム・スロット、ならびに他の従来のサブ・フレームおよび特別なサブ・フレームの第１のタイム・スロットおよび第２のタイム・スロットは、図３で示すように同じリソース・グリッド構造を持っていることを理解することができる。
【００３５】
上記のように、ＬＴＥ  ＴＤＤシステムは、隣接セルに対して異なるアップリンク／ダウンリンクのサブ・フレーム構成を展開させることができる。
【００３６】
すなわち、第１のセルに対応する第１の基地局１１０は、表１に示すように、０〜６の構成で任意のアップリンク／ダウンリンク構成を展開させることができ、第２のセルに対応する第２の基地局１２０は、また、表１に示すように、０〜６の構成で任意のアップリンク／ダウンリンク構成を展開させることができるため、第１の基地局１１０のアップリンク／ダウンリンクのサブ・フレーム構成、および第２の基地局１２０のアップリンク／ダウンリンクのサブ・フレーム構成は、非対称でもよく、その結果、第１のセルにはダウンリンク・サブ・フレームを実装するが、第２のセルにはアップリンク・サブ・フレームまたは特別なサブ・フレームを実装することになり得、あるいは第１のセルにはアップリンク・サブ・フレームまたは特別なサブ・フレームを実装するが、第２のセルに、ダウンリンク・サブ・フレームを実装することになり得、そのためにセル間干渉が生じる可能性がある。
【００３７】
以下の記述では、第１のセルに第１のタイプ（種類・型）のサブ・フレームを実装する一方、第２のセルに、第１のタイプのサブ・フレームとは異なる第２のタイプのサブ・フレームを実装し、第１のタイプのサブ・フレームは、ダウンリンク・サブ・フレーム、アップリンク・サブ・フレーム、または特別なサブ・フレームでもよいことが想定される。同様に、第２のタイプのサブ・フレームは、ダウンリンク・サブ・フレーム、アップリンク・サブ・フレーム、または特別なサブ・フレームでもよい。
【００３８】
図４は、本発明の一実施形態により、ワイヤレス通信システムにおいて、第１のセルで第１のタイプのサブ・フレームを実装し、第２のセルで第１のタイプのサブ・フレームとは異なる第２のタイプのサブ・フレームを実装する結果生じる干渉を減らすための方法を示す流れ図である。
【００３９】
図４に示すように、方法４００は、ステップＳ４１０：第１のタイプのサブ・フレームおよび第２のタイプのサブ・フレームの少なくとも１つのリソース・グリッドをマッピングするステップであって、
第１のタイプのサブ・フレーム内にあり、第２のタイプのサブ・フレームのリソース要素に対応しており、参照信号および共通制御チャネルの少なくとも１つに対してマッピングされたリソース要素、および
第２のタイプのサブ・フレーム内にあり、第１のタイプのサブ・フレームのリソース要素に対応しており、参照信号および共通制御チャネルの少なくとも１つに対してマッピングされたリソース要素の少なくとも１つを予約するためのステップであって、
上記は情報を伝送しないようにするためである、ステップと、
ステップＳ４２０：マッピング・ステップＳ４１０のマッピング結果を伝送するステップとを含む。
【００４０】
図４に示した方法は、第１の基地局１１０および第２の基地局１２０は、例えば、ＲＲＨである、３ＧＰＰ  Ｒ１−１１０５９８のリモート・ラジオ・ヘッド（ＲＲＨ：Ｒｅｍｏｔｅ  Ｒａｄｉｏ  Ｈｅａｄ）ベースのシナリオ２／３／４など、集中型スケジューリングおよび低遅延のシナリオに適用可能である。上記のシナリオでは、デバイス、たとえば、図１に図示していない基地局のリソース割り当てモジュールは、図４に示した方法のステップ、つまり、
第１のタイプのサブ・フレーム内にあり、第２のタイプのサブ・フレームのリソース要素に対応しており、参照信号および共通制御チャネルの少なくとも１つに対してマッピングされたリソース要素、および
第２のタイプのサブ・フレーム内にあり、第１のタイプのサブ・フレームのリソース要素に対応しており、参照信号および共通制御チャネルの少なくとも１つに対してマッピングされたリソース要素の少なくとも１つを予約するために、各セルに対してリソース・グリッドを集中的にマッピングするステップであり、
上記は、情報を伝送しないためである、ステップを実行するために使用される。
【００４１】
図５は、本発明の一実施形態による、図４に示した方法のステップを実装するための装置を示すブロック図である。
【００４２】
図５に示すように、装置５００は、以下を具備する。
【００４３】
第１のタイプのサブ・フレームおよび第２のタイプのサブ・フレームの少なくとも１つのリソース・グリッドをマッピングするように構成されたマッパー５１０であり、
第１のタイプのサブ・フレーム内にあり、第２のタイプのサブ・フレームのリソース要素に対応しており、参照信号および共通制御チャネルの少なくとも１つに対してマッピングされたリソース要素、および
第２のタイプのサブ・フレーム内にあり、第１のタイプのサブ・フレームのリソース要素に対応しており、参照信号および共通制御チャネルの少なくとも１つに対してマッピングされたリソース要素、の内の少なくとも１つを予約するためのマッパー５１０であり、
上記は、情報を伝送しないようにするためである、マッパー５１０と、
マッパー５１０のマッピング結果を伝送するように構成された送信機５２０とを含む。
【００４４】
たとえば、本発明の一実施形態では、送信機５２０は、マッパー５１０のマッピング結果を第１および第２の基地局１１０および１２０に伝送し、次に第１および第２の基地局１１０および１２０は、マッピング結果をそれらのユーザー機器１３０および１４０にそれぞれ伝送する。
【００４５】
本発明の他の実施形態では、送信機５２０は、第１および第２のセルのユーザー機器１３０および１４０にマッパー５１０のマッピング結果をさらに伝送する。
【００４６】
それに対応して、本発明の一実施形態によると、基地局は、
第１のタイプのサブ・フレームのリソース・グリッドのマッピングに関係する情報または第２のタイプのサブ・フレームのリソース・グリッドのマッピングに関係する情報を受信するステップであって、第１のタイプのサブ・フレームのリソース・グリッドは、情報を伝送しないように、第１のタイプのサブ・フレーム内にあり第２のタイプのサブ・フレームのリソース要素に対応しており、参照信号および共通制御チャネルの少なくとも１つに対してマッピングされたリソース要素の予約としてマッピングされ、第２のタイプのサブ・フレームのリソース・グリッドは、情報を伝送しないように、第２のタイプのサブ・フレーム内にあり第１のタイプのサブ・フレームのリソース要素に対応しており、参照信号および共通制御チャネルの少なくとも１つに対してマッピングされたリソース要素の予約としてマッピングされるステップを実装することができる。
【００４７】
第１の基地局１１０および第２の基地局１２０が、第１のタイプのサブ・フレームのリソース・グリッドのマッピングに関係する情報および第２のタイプのサブ・フレームのリソース・グリッドのマッピングに関係する情報をそれらのユーザー機器１３０および１４０にそれぞれ伝送する場合、基地局は、
第１のタイプのサブ・フレームのリソース・グリッドのマッピングに関係する受信された情報または第２のタイプのサブ・フレームのリソース・グリッドのマッピングに関係する情報を伝送するステップを実装することができる。
【００４８】
それに対応して、本発明の一実施形態によると、基地局は、
第１のタイプのサブ・フレームのリソース・グリッドのマッピングに関係する情報または第２のタイプのサブ・フレームのリソース・グリッドのマッピングに関係する情報を受信するように構成された受信機であって、第１のタイプのサブ・フレームのリソース・グリッドは、情報を伝送しないように、第１のタイプのサブ・フレーム内にあり第２のタイプのサブ・フレームのリソース要素に対応しており、参照信号および共通制御チャネルの少なくとも１つに対してマッピングされたリソース要素の予約としてマッピングされ、第２のタイプのサブ・フレームのリソース・グリッドは、情報を伝送しないように、第２のタイプのサブ・フレーム内にあり第１のタイプのサブ・フレームのリソース要素に対応しており、参照信号および共通制御チャネルの少なくとも１つに対してマッピングされたリソース要素の予約としてマッピングされる、受信機を含むことができる。
【００４９】
また、同様に、第１および第２の基地局が、第１のタイプのサブ・フレームのリソース・グリッドのマッピングに関係する情報および第２のタイプのサブ・フレームのリソース・グリッドのマッピングに関係する情報をそれらのユーザー機器にそれぞれ伝送する場合、基地局は、
第１のタイプのサブ・フレームのリソース・グリッドのマッピングに関係する受信された情報または第２のタイプのサブ・フレームのリソース・グリッドのマッピングに関係する情報を伝送するように構成された送信機を含むことができる。
【００５０】
図６は、本発明の一実施形態により、ワイヤレス通信システムにおいて、第１のセルでは第１のタイプのサブ・フレームを実装し、第２のセルでは第１のタイプのサブ・フレームとは異なる第２のタイプのサブ・フレームを実装する結果生じる干渉を減らすための方法を示す流れ図である。
【００５１】
図６に示した方法は、たとえばｅＮＢ間またはｅＮＢ−Ｈｏｍｅ  ｅＮＢなど、分散型スケジューリングおよび高遅延シナリオに適用可能である。上記のシナリオでは、一般性を失うことなく、図１に示す第１の基地局１１０は、情報を伝送しないように、第１のタイプのサブ・フレーム内にあり第２のタイプのサブ・フレームのリソース要素に対応しており、参照信号および共通制御チャネルの少なくとも１つに対してマッピングされたリソース要素を予約するために、図６に示す方法のステップを実装するために使用される。
【００５２】
図１に示す第２の基地局１２０は、簡潔さのために詳細に本明細書に記述されない、図６に示す方法のステップに対応するステップを実装できることが当業者には理解されよう。
【００５３】
図６に示すように、方法は、ステップＳ６１０：第２のタイプのサブ・フレームのリソース・グリッドのマッピングに関係する情報を受信するステップと、ステップＳ６２０：情報を伝送しないように、第１のタイプのサブ・フレーム内にあり、第２のタイプのサブ・フレームのリソース要素に対応しており、参照信号および共通制御チャネルの少なくとも１つに対してマッピングされたリソース要素を予約するために第１のタイプのサブ・フレームのリソース・グリッドをマッピングするステップとを含む。
【００５４】
図６に示すように、方法６００は、ステップＳ６３０：第１のタイプのサブ・フレームのリソース・グリッドのマッピングに関係する情報を伝送するステップをさらに含むことができる。
【００５５】
たとえば、第１のタイプのサブ・フレームのリソース・グリッドのマッピングに関係する情報は、第１のセルのユーザー機器１３０および第２の基地局１２０に伝送することができる。
【００５６】
図７は、本発明の一実施形態による、図６で示された方法のステップを実装するための基地局のブロック図を示している。
【００５７】
基地局は、たとえば、図１に示す第１の基地局１１０である。図１に示す第２の基地局１２０は、簡潔さのために詳細には本明細書に記述しない、図７に示す基地局が有する装置に対応する装置を有することができることが当業者には理解されよう。
【００５８】
図７に示すように、基地局７００は、第２のタイプのサブ・フレームのリソース・グリッドのマッピングに関係する情報を受信するように構成された受信機７１０、および情報を伝送しないように、第１のタイプのサブ・フレーム内にあり第２のタイプのサブ・フレームのリソース要素に対応しており、参照信号および共通制御チャネルの少なくとも１つに対してマッピングされたリソース要素を予約するために第１のタイプのサブ・フレームのリソース・グリッドをマッピングするように構成されたマッパー７２０を含む。
【００５９】
図７に示すように、基地局７００は、たとえば、第１のセルのユーザー機器１３０および第２の基地局１２０に、第１のタイプのサブ・フレームのリソース・グリッドのマッピングに関係する情報を伝送するなど、第１のタイプのサブ・フレームのリソース・グリッドのマッピングに関係する情報を伝送するように構成された送信機７３０をさらに含むことができる。
【００６０】
たとえば、第１の基地局１１０は、バックホール・リンク１７０を介して第２の基地局１２０から、物理制御フォーマット指示チャネル（１つのサブ・フレームにおいてＰＤＣＣＨ伝送のためにＯＦＤＭシンボルの数（１、２、または３）を示すように構成されたＰＣＦＩＣＨ）、ＲＳの位置、システム情報ブロック（ＳＩＢ）２の位置、マルチキャスト・ブロードキャスト単一周波数ネットワーク（ＭＢＳＦＮ）構成、ＳＲＳの位置などのような、第２のタイプのサブ・フレームのリソース・グリッドのマッピングに関係する情報を受信することができる。
【００６１】
ＰＣＦＩＣＨは、動的に調整可能であり、その調整速度は遅いので、本発明の一実施形態では、ＰＣＦＩＣＨは使用できず、また、ＰＤＣＣＨでの干渉を確実に最小にできるように、ＰＤＣＣＨに対して割り当てられることが事前に定められた３つのＯＦＤＭシンボルに対応するリソース要素は、情報を伝送しないように常に予約することができる。
【００６２】
同様に、本発明の一実施形態によると、ユーザー機器は、
第１のタイプのサブ・フレームのリソース・グリッドのマッピングに関係する情報または第２のタイプのサブ・フレームのリソース・グリッドのマッピングに関係する情報を受信するステップであって、第１のタイプのサブ・フレームのリソース・グリッドは、情報を伝送しないように、第１のタイプのサブ・フレーム内にあり第２のタイプのサブ・フレームのリソース要素に対応しており、参照信号および共通制御チャネルの少なくとも１つに対してマッピングされたリソース要素の予約としてマッピングされ、第２のタイプのサブ・フレームのリソース・グリッドは、情報を伝送しないように、第２のタイプのサブ・フレーム内にあり第１のタイプのサブ・フレームのリソース要素に対応しており、参照信号および共通制御チャネルの少なくとも１つに対してマッピングされたリソース要素の予約としてマッピングされるステップを実装することができる。
【００６３】
それに対応して、本発明の一実施形態によると、ユーザー機器は、
第１のタイプのサブ・フレームのリソース・グリッドのマッピングに関係する情報または第２のタイプのサブ・フレームのリソース・グリッドのマッピングに関係する情報を受信するように構成された受信機であって、第１のタイプのサブ・フレームのリソース・グリッドは、情報を伝送しないように、第１のタイプのサブ・フレーム内にあり、第２のタイプのサブ・フレームのリソース要素に対応しており、参照信号および共通制御チャネルの少なくとも１つに対してマッピングされたリソース要素の予約としてマッピングされ、第２のタイプのサブ・フレームのリソース・グリッドは、情報を伝送しないように、第２のタイプのサブ・フレーム内にあり、第１のタイプのサブ・フレームのリソース要素に対応しており、参照信号および共通制御チャネルの少なくとも１つに対してマッピングされたリソース要素の予約としてマッピングされる、受信機を含むことができる。
【００６４】
本発明の一実施形態では、第１のタイプのサブ・フレームがダウンリンク・サブ・フレームであり、第２のタイプのサブ・フレームが特別なサブ・フレームである場合、情報を伝送しないように、第１のタイプのサブ・フレーム内にあり、第２のタイプのサブ・フレームのリソース要素に対応しており、参照信号および共通制御チャネルの少なくとも１つに対してマッピングされたリソース要素を予約するために第１のタイプのサブ・フレームのリソース・グリッドをマッピングするだけである。
【００６５】
本発明の一実施形態では、第１のタイプのサブ・フレームはダウンリンク・サブ・フレームであり、第２のタイプのサブ・フレームはアップリンク・サブ・フレームである場合、情報を伝送しないように、第１のタイプのサブ・フレーム内にあり第２のタイプのサブ・フレームのリソース要素に対応しており、参照信号および共通制御チャネルの少なくとも１つに対してマッピングされたリソース要素を予約するために第１のタイプのサブ・フレームのリソース・グリッドをマッピングするステップは、情報を伝送しないように、第１のタイプのサブ・フレームの以下のリソース要素、すなわち、
第２のタイプのサブ・フレームにおいて物理アップリンク制御チャネルＰＵＣＣＨに対してマッピングされたリソース要素に対応するリソース要素、
第２のタイプのサブ・フレームのアップリンク・パイロット・チャネルＵｐＰＣＨに対してマッピングされたリソース要素に対応するリソース要素、
第２のタイプのサブ・フレームのチャネル・サウンディング参照信号ＳＲＳに対してマッピングされたリソース要素に対応するリソース要素、および
第２のタイプのサブ・フレームのアップリンク復調参照信号ＵＬ  ＤＭＲＳに対してマッピングされたリソース要素に対応するリソース要素、
の少なくとも１つを予約するために、第１のタイプのサブ・フレームのリソース・グリッドをマッピングするステップを含む。
【００６６】
情報を伝送しないように、第１のタイプのサブ・フレームの前述のリソース要素を除く他のリソース要素を予約することもでき、また情報を伝送しないように、第１のタイプのサブ・フレームの前述のリソース要素ではない他のリソース要素を予約できることが当業者には理解されよう。
【００６７】
さらに、周波数分割多重（ＦＤＭ）ソリューションが第１のセルでは第１のタイプのサブ・フレームを実装する一方で第２のセルでは第１のタイプのサブ・フレームとは異なる第２のタイプのサブ・フレームを実装することから生じる干渉に対処するために使用される場合のみ、第１のタイプのサブ・フレームのリソース要素であり、および第２のタイプのサブ・フレームのリソース要素に対応し、アップリンク復調参照信号ＵＬ  ＤＭＲＳまたは他のアップリンク・ユーザー機器固有の参照信号に対してマッピングされたリソース要素を、情報を伝送しないように予約することができる。
【００６８】
本発明の一実施形態では、第１のタイプのサブ・フレームがダウンリンク・サブ・フレームで、第２のタイプのサブ・フレームがアップリンク・サブ・フレームである場合、情報を伝送しないように、第２のタイプのサブ・フレーム内にあり第１のタイプのサブ・フレームのリソース要素に対応しており、参照信号および共通制御チャネルの少なくとも１つに対してマッピングされたリソース要素を予約するために第２のタイプのサブ・フレームのリソース・グリッドをマッピングするステップは、情報を伝送しないように、第２のタイプのサブ・フレームの以下のリソース要素、すなわち、
第１のタイプのサブ・フレームの物理ダウンリンク制御チャネルＰＤＣＣＨに対してマッピングされたリソース要素に対応するリソース要素、
第１のタイプのサブ・フレームの物理ブロードキャスト・チャネルＰＢＣＨに対してマッピングされたリソース要素に対応するリソース要素、
第１のタイプのサブ・フレームの動的ブロードキャスト・チャネルに対してマッピングされたリソース要素に対応するリソース要素、
第１のタイプのサブ・フレームのチャネル状態情報参照信号ＣＳＩ−ＲＳに対してマッピングされたリソース要素に対応するリソース要素、
第１のタイプのサブ・フレームのセル固有参照信号ＣＲＳに対してマッピングされたリソース要素に対応するリソース要素、
第１のタイプのサブ・フレームのダウンリンク復調参照信号ＤＬ  ＤＭＲＳに対してマッピングされたリソース要素に対応するリソース要素
の少なくとも１つを予約するために、第２のタイプのサブ・フレームをマッピングするステップを含む。
【００６９】
情報を伝送しないように、第２のタイプのサブ・フレームの前述のリソース要素を除く他のリソース要素を予約することもできる、情報を伝送しないように、第２のタイプのサブ・フレームの前述のリソース要素ではない他のリソース要素を予約できることが当業者には理解されよう。
【００７０】
さらに、周波数分割多重（ＦＤＭ）ソリューションが第１のセルでは第１のタイプのサブ・フレームを実装する一方で第２のセルでは第１のタイプのサブ・フレームとは異なる第２のタイプのサブ・フレームを実装することから生じる干渉に対処するために使用される場合のみ、第２のタイプのサブ・フレーム内にあり第１のタイプのサブ・フレームのリソース要素に対応し、ダウンリンク復調参照信号ＤＬ  ＤＭＲＳまたは他のダウンリンク・ユーザー機器固有の参照信号に対してマッピングされたリソース要素は、情報を伝送しないように予約することができる。
【００７１】
さらに、ダウンリンク・サブ・フレームがＭＢＳＦＮ構成を用いる場合、情報を伝送しないように、第２のタイプのサブ・フレーム内にあり第１のタイプのサブ・フレームのリソース要素に対応し、セル固有参照信号ＣＲＳに対してマッピングされたリソース要素を予約することは不要である。
【００７２】
さらに、本発明によると、リソース・グリッドの一部のリソース要素は、情報を伝送しないように予約されるため、リソース・グリッドでデータを伝送するためのリソース要素の電力が増加されるべきであるため、アップリンク・サブ・フレームの伝送電力は、他のアップリンク・サブ・フレームのものと同じまま維持される。
【００７３】
図８Ａおよび図８Ｂは、本発明の一実施形態による、ダウンリンク・サブ・フレームおよびアップリンク・サブ・フレームのリソース・グリッドのマッピングを示し、図８Ａは、本発明の一実施形態によるダウンリンク・サブ・フレームのリソース・グリッドのマッピングを示し、図８Ｂは、本発明の一実施形態によるアップリンク・サブ・フレームのリソース・グリッドのマッピングを示している。
【００７４】
図８Ａに示すように、１と書かれたリソース要素は、ＰＤＣＣＨに対して割り当てられ、２と書かれたリソース要素は、ＣＳＩ−ＲＳに対して割り当てられ、３と書かれたリソース要素は、ＣＲＳに対して割り当てられ、Ｒと書かれたリソース要素は、情報を伝送しないように予約されている一方、参照番号または文字が書かれていない他のリソース要素は、データを伝送するために使用される。
【００７５】
図８Ｂに示すように、１と書かれたリソース要素は、ＳＲＳに対して割り当てられ、Ｒと書かれたリソース要素は、情報を伝送しないように予約される一方、参照番号または文字が書かれていない他のリソース要素は、データを伝送するために使用される。
【００７６】
図８Ａから、ダウンリンク・サブ・フレームのリソース要素であって、アップリンク・サブ・フレームのリソース要素に対応し、ＳＲＳに対して割り当てられたリソース要素は、情報を伝送しないように予約されることを見ることができる。
【００７７】
図８Ｂから、アップリンク・サブ・フレームのリソース要素であって、ダウンリンク・サブ・フレームのリソース要素に対応し、ＰＤＣＣＨ、ＣＲＳ、およびＣＳＩ−ＲＳに対して割り当てられたリソース要素は、情報を伝送しないように予約されることを見ることができる。
【００７８】
本発明をより簡単に理解できるように、当業者に周知であり、本発明の実装にとって不可欠な可能性がある一部のより具体的な技術的詳細が、上記の記述において省略されていることに注意されたい。
【００７９】
よって、実施形態を選択および記述することは、本発明の原理およびその実際の用途についてより良く説明し、本発明の本質からの逸脱することなく、すべての修正および変更は、請求項によって限定される本発明の保護の範囲内にあることを当業者にとって明確にすることである。
【００８０】
さらに、上記の様々な方法のステップは、プログラムされたコンピュータによって実装できることが当業者には理解されよう。ここで、一部の実施形態は、機械またはコンピュータで読み取り可能であり、機械またはコンピュータで実行可能な命令のプログラムを用いて符号化される、プログラム記憶装置を対象にすることを目的としており、命令は、方法の一部またはすべてのステップを実装する。プログラム記憶装置は、たとえば、磁気ディスク、磁気テープ、ハード・ディスク・ドライバなどの磁気記憶媒体、または光学的に読み取り可能なデジタル・データ記憶媒体であってよい。実施形態は、また、方法のステップを実装するようにプログラムされたコンピュータを網羅することを目的としている。
【図１】
0005864718.tif 000003
【図２Ａ】
0005864718.tif 000004
【図２Ｂ】
0005864718.tif 000005
【図３】
0005864718.tif 000006
【図４】
0005864718.tif 000007
【図５】
0005864718.tif 000008
【図６】
0005864718.tif 000009
【図７】
0005864718.tif 000010
【図８Ａ】
0005864718.tif 000011
【図８Ｂ】
0005864718.tif 000012